(57)【要約】【課題】スクロール中の視認性が高い表示装置、表示装置の制御方法、および表示装置の制御プログラムを提供する。【解決手段】表示装置としてのＭＦＰは、リストを含む画面を操作パネルに表示する第１の表示手段と、第１の表示手段とは異なる態様で画面を操作パネルに表示する第２の表示手段とを備える。ＭＦＰは、リストを所定の方向にスクロールさせるフリック操作を受け付けた場合に（Ｓ５でＹＥＳ）、画面が第１および第２の表示手段のいずれにて表示されているかに基づいて、スクロール速度を決定してリストをスクロール表示する。第１の表示手段にて画面の全体を表示した場合の文字のサイズが、第２の表示手段にて画面の全体を表示した場合の文字のサイズよりも小さい場合（Ｓ７で「縦」）、ＭＦＰは、第１の表示手段にて表示したリストのスクロール速度を第２の表示手段にて表示したリストのスクロール速度よりも遅い速度に決定する（Ｓ１１）。【選択図】図９
2014048735.tif 000002
【特許請求の範囲】
【請求項１】
表示部を備えた表示装置であって、
文字で表された複数の情報よりなるスクロール可能なリストを含む画面を前記表示部に表示する第１の表示手段と、
前記第１の表示手段とは異なる態様で前記画面を前記表示部に表示する第２の表示手段と、
前記リストを所定の方向にスクロールさせるフリック操作を受け付ける操作受付手段と、
前記操作受付手段にてフリック操作を受け付けた場合に、前記画面が前記第１および第２の表示手段のいずれにて表示されているかに基づいて、スクロール速度を決定して前記リストをスクロール表示する速度決定手段とを備え、
前記第１の表示手段にて前記画面の全体を表示した場合の文字のサイズが、前記第２の表示手段にて前記画面の全体を表示した場合の文字のサイズよりも小さい場合、
前記第２の表示手段にて前記画面の全体を表示した場合のリストの表示領域のスクロール方向の長さが、前記第１の表示手段にて前記画面の全体を表示した場合のリストの表示領域のスクロール方向の長さよりも長い場合、
前記第１の表示手段にて表示する画面がリストに関するサムネイルを含み、かつ前記第２の表示手段にて表示する画面がリストに関するサムネイルを含まない場合、および
前記第２の表示手段にて表示する画面のリストが、前記第１の表示手段にて表示する画面のリストの一部の情報を非表示としたものである場合
のうち少なくともいずれか１つの場合に、前記速度決定手段は、受け付けた所定のフリック操作に対する、前記第１の表示手段にて表示したリストのスクロール速度を前記第２の表示手段にて表示したリストのスクロール速度よりも遅い速度に決定する、表示装置。
【請求項２】
前記表示部の向きを判定する向き判定手段と、
前記向き判定手段にて判定した向きに基づいて、前記第１および第２の表示手段のうちいずれにて前記画面を表示するかを決定する第１の表示決定手段とをさらに備え、
前記第１の表示手段は、略矩形である前記表示部の短辺に前記画面の長辺が対応するように前記画面を表示し、
前記第２の表示手段は、略矩形である前記表示部の長辺に前記画面の長辺が対応するように前記画面を表示する、請求項１に記載の表示装置。
【請求項３】
前記第１の表示手段は、前記複数の情報の各々が第１の行数で表示されるように前記画面を表示し、
前記第２の表示手段は、前記複数の情報の各々が前記第１の行数よりも多い第２の行数で表示されるように前記画面を表示する、請求項１に記載の表示装置。
【請求項４】
前記第１および第２の表示手段は、略矩形である前記表示部の短辺に前記画面の長辺が対応するように前記画面を表示し、
前記第１の表示手段は、前記画面の全体を表示した場合に、前記表示部の長辺に沿った方向のリストの表示領域の長さが第１の長さとなるように前記画面を表示し、
前記第２の表示手段は、前記画面の全体を表示した場合に、前記表示部の長辺に沿った方向のリストの表示領域の長さが前記第１の長さよりも長い第２の長さとなるように前記画面を表示する、請求項１に記載の表示装置。
【請求項５】
前記第１の表示手段は、リストに関するファイルのサムネイルをリストとともに表示し、
前記第２の表示手段は、前記サムネイルを表示しない、請求項１に記載の表示装置。
【請求項６】
前記表示装置を使用するユーザーの権限を特定する権限特定手段と、
前記権限特定手段にて特定した権限に基づいて、前記第１および第２の表示手段のうちいずれにて前記画面を表示するかを決定する第２の表示決定手段とをさらに備え、
前記第２の表示手段は、前記第１の表示手段にて表示する画面のリストの一部の情報を非表示とした態様で前記画面を表示する、請求項１に記載の表示装置。
【請求項７】
前記第１の表示手段にて表示する画面のリストに含まれる文字のサイズは、前記第２の表示手段にて表示する画面のリストに含まれる文字のサイズと同じである、請求項４〜６のいずれかに記載の表示装置。
【請求項８】
前記画面は、画像形成装置の各種の設定を行う設定画面である、請求項１〜７のいずれかに記載の表示装置。
【請求項９】
表示部と、文字で表された複数の情報よりなるスクロール可能なリストを含む画面を前記表示部に表示する第１の表示手段と、前記第１の表示手段とは異なる態様で前記画面を前記表示部に表示する第２の表示手段とを備えた表示装置の制御方法であって、
前記リストを所定の方向にスクロールさせるフリック操作を受け付ける操作受付ステップと、
前記操作受付ステップにてフリック操作を受け付けた場合に、前記画面が前記第１および第２の表示手段のいずれにて表示されているかに基づいて、スクロール速度を決定して前記リストをスクロール表示する速度決定ステップとを備え、
前記第１の表示手段にて前記画面の全体を表示した場合の文字のサイズが、前記第２の表示手段にて前記画面の全体を表示した場合の文字のサイズよりも小さい場合、
前記第２の表示手段にて前記画面の全体を表示した場合のリストの表示領域のスクロール方向の長さが、前記第１の表示手段にて前記画面の全体を表示した場合のリストの表示領域のスクロール方向の長さよりも長い場合、
前記第１の表示手段にて表示する画面がリストに関するサムネイルを含み、かつ前記第２の表示手段にて表示する画面がリストに関するサムネイルを含まない場合、および
前記第２の表示手段にて表示する画面のリストが、前記第１の表示手段にて表示する画面のリストの一部の情報を非表示としたものである場合
のうち少なくともいずれか１つの場合に、前記速度決定ステップにおいて、受け付けた所定のフリック操作に対する、前記第１の表示手段にて表示したリストのスクロール速度を前記第２の表示手段にて表示したリストのスクロール速度よりも遅い速度に決定する、表示装置の制御方法。
【請求項１０】
表示部と、文字で表された複数の情報よりなるスクロール可能なリストを含む画面を前記表示部に表示する第１の表示手段と、前記第１の表示手段とは異なる態様で前記画面を前記表示部に表示する第２の表示手段とを備えた表示装置の制御プログラムであって、
前記リストを所定の方向にスクロールさせるフリック操作を受け付ける操作受付ステップと、
前記操作受付ステップにてフリック操作を受け付けた場合に、前記画面が前記第１および第２の表示手段のいずれにて表示されているかに基づいて、スクロール速度を決定して前記リストをスクロール表示する速度決定ステップとをコンピューターに実行させ、
前記第１の表示手段にて前記画面の全体を表示した場合の文字のサイズが、前記第２の表示手段にて前記画面の全体を表示した場合の文字のサイズよりも小さい場合、
前記第２の表示手段にて前記画面の全体を表示した場合のリストの表示領域のスクロール方向の長さが、前記第１の表示手段にて前記画面の全体を表示した場合のリストの表示領域のスクロール方向の長さよりも長い場合、
前記第１の表示手段にて表示する画面がリストに関するサムネイルを含み、かつ前記第２の表示手段にて表示する画面がリストに関するサムネイルを含まない場合、および
前記第２の表示手段にて表示する画面のリストが、前記第１の表示手段にて表示する画面のリストの一部の情報を非表示としたものである場合
のうち少なくともいずれか１つの場合に、前記速度決定ステップにおいて、受け付けた所定のフリック操作に対する、前記第１の表示手段にて表示したリストのスクロール速度を前記第２の表示手段にて表示したリストのスクロール速度よりも遅い速度に決定する、表示装置の制御プログラム。
【発明の詳細な説明】
【技術分野】
【０００１】
本発明は表示装置、表示装置の制御方法、および表示装置の制御プログラムに関し、より特定的には、スクロール中の視認性が高い表示装置、表示装置の制御方法、および表示装置の制御プログラムに関する。
【背景技術】
【０００２】
近年、タブレットやスマートフォンなどの携帯情報端末が高機能化しており、個人がＰＣ（Ｐｅｒｓｏｎａｌ  Ｃｏｍｐｕｔｅｒ）の代わりに携帯情報端末を所有している。携帯情報端末によれば、電子化された文書を任意の場所で自由に閲覧および編集することができる。携帯情報端末は、業務や生活の様々な場面で用いられるようになっている。
【０００３】
携帯情報端末の高機能化に伴い、画像形成装置と携帯情報端末とを備えた画像形成システムにおいて、画像形成装置と携帯情報端末とを連携させる技術が提案されている。具体的には、画像形成装置の操作パネルを着脱可能にしたり、携帯情報端末に操作パネルの表示画面と同じ画面を表示したりすることで、操作パネルや携帯情報端末などのユーザーインターフェースをリモートパネルとして、画像形成装置を遠隔操作する技術が提案されている。
【０００４】
画像形成装置は、リモートパネルにリストを表示している場合において、リモートパネルのタッチパネル上で指を払うようなフリック操作をユーザーから受け付けたときは、リストをスクロールして表示する。
【０００５】
ところで、画像形成装置は、リストを含む画面を複数の表示形態でリモートパネルに表示することが可能な場合がある。たとえば、リモートパネルが横向きの場合（リモートパネルの略矩形状の表示部の長辺が上下方向に存在している場合）、リモートパネルは横表示（表示する画面の長辺が表示部の長辺に対応するような表示）を行い、リモートパネルが縦向きの場合（リモートパネルの略矩形状の表示部の短辺が上下方向に存在している場合）、リモートパネルは縦表示（表示する画面の長辺が表示部の短辺に対応するような表示）を行う。リモートパネルが横表示を行う場合には、リモートパネルには通常の大きさの画面が表示される。一方、リモートパネルが縦表示を行う場合には、表示する画面の長辺がリモートパネルの表示部の短辺に対応するように、表示する画面が縮小されて表示される。このため、縦表示を行う場合には、横表示を行う場合に比べて、リモートパネルに表示される画面は小さくなる。
【０００６】
下記特許文献１および２には、従来の表示装置が開示されている。下記特許文献１には、略直方体形状をした縦長のカメラ本体を有するデジタルカメラが開示されている。このデジタルカメラの背面には、表示画面の長手方向と、カメラ本体の長手方向とが一致する向きで、ＬＣＤパネルが配置されている。撮影モードでは、表示画面の上方部分に撮影画像が表示される。再生時には、カメラ本体を９０°回転させて横向きにする。再生モードでは、撮影画像の表示姿勢も９０°回転し、表示画面の全画面に撮影画像が表示される。
【０００７】
下記特許文献２には、画像表示部に画像全体の一部領域が表示されている状態で、ユーザーによりフリック操作が画像表示部のタッチパネルでなされると、接触検知部がこれを検知し、移動量を算出する技術が開示されている。システム制御部は、画像表示部に表示される一部領域の画像全体に対する表示範囲が小さくなるに従って、フリック操作におけるタッチアップ時の速度に対する一部領域の移動幅を大きくする。下記特許文献２の技術では、画像の拡大率が大きくなるほど（画像全体に対する表示範囲が小さくなるほど）、移動速度を速くしている。
【先行技術文献】
【特許文献】
【０００８】
【特許文献１】特開２００６−１６６２４８号公報（特許第４４１１１９３号）
【特許文献２】特開２０１１−０３４５１２号公報
【発明の概要】
【発明が解決しようとする課題】
【０００９】
従来の画像形成装置のリモートパネルでは、ジョブ履歴のようなリスト形式の項目を表示している状態でフリック操作を受け付けたときは、リストをスクロールして表示する。しかし、従来の画像形成装置のリモートパネルには、スクロール中の視認性が低いという問題があった。すなわち、リモートパネルがリストを含む画面を複数の表示形態で表示する場合であっても、リストのスクロール速度は表示形態とは無関係に決定されていた。このため、リストのスクロール中にリストに含まれる情報を視認することが困難となることがあった。
【００１０】
この問題は、画像形成装置のリモートパネルのみで起こる問題ではなく、リストを含む画面を複数の態様で表示部に表示する表示装置全般で起こり得る問題である。
【００１１】
本発明は、上記課題を解決するためのものであり、その目的は、スクロール中の視認性が高い表示装置、表示装置の制御方法、および表示装置の制御プログラムを提供することである。
【課題を解決するための手段】
【００１２】
本発明の一の局面に従う表示装置は、表示部を備えた表示装置であって、文字で表された複数の情報よりなるスクロール可能なリストを含む画面を表示部に表示する第１の表示手段と、第１の表示手段とは異なる態様で画面を表示部に表示する第２の表示手段と、リストを所定の方向にスクロールさせるフリック操作を受け付ける操作受付手段と、操作受付手段にてフリック操作を受け付けた場合に、画面が第１および第２の表示手段のいずれにて表示されているかに基づいて、スクロール速度を決定してリストをスクロール表示する速度決定手段とを備え、第１の表示手段にて画面の全体を表示した場合の文字のサイズが、第２の表示手段にて画面の全体を表示した場合の文字のサイズよりも小さい場合、第２の表示手段にて画面の全体を表示した場合のリストの表示領域のスクロール方向の長さが、第１の表示手段にて画面の全体を表示した場合のリストの表示領域のスクロール方向の長さよりも長い場合、第１の表示手段にて表示する画面がリストに関するサムネイルを含み、かつ第２の表示手段にて表示する画面がリストに関するサムネイルを含まない場合、および第２の表示手段にて表示する画面のリストが、第１の表示手段にて表示する画面のリストの一部の情報を非表示としたものである場合のうち少なくともいずれか１つの場合に、速度決定手段は、受け付けた所定のフリック操作に対する、第１の表示手段にて表示したリストのスクロール速度を第２の表示手段にて表示したリストのスクロール速度よりも遅い速度に決定する。
【００１３】
上記表示装置において好ましくは、表示部の向きを判定する向き判定手段と、向き判定手段にて判定した向きに基づいて、第１および第２の表示手段のうちいずれにて画面を表示するかを決定する第１の表示決定手段とをさらに備え、第１の表示手段は、略矩形である表示部の短辺に画面の長辺が対応するように画面を表示し、第２の表示手段は、略矩形である表示部の長辺に画面の長辺が対応するように画面を表示する。
【００１４】
上記表示装置において好ましくは、第１の表示手段は、複数の情報の各々が第１の行数で表示されるように画面を表示し、第２の表示手段は、複数の情報の各々が第１の行数よりも多い第２の行数で表示されるように画面を表示する。
【００１５】
上記表示装置において好ましくは、第１および第２の表示手段は、略矩形である表示部の短辺に画面の長辺が対応するように画面を表示し、第１の表示手段は、画面の全体を表示した場合に、表示部の長辺に沿った方向のリストの表示領域の長さが第１の長さとなるように画面を表示し、第２の表示手段は、画面の全体を表示した場合に、表示部の長辺に沿った方向のリストの表示領域の長さが第１の長さよりも長い第２の長さとなるように画面を表示する。
【００１６】
上記表示装置において好ましくは、第１の表示手段は、リストに関するファイルのサムネイルをリストとともに表示し、第２の表示手段は、サムネイルを表示しない。
【００１７】
上記表示装置において好ましくは、表示装置を使用するユーザーの権限を特定する権限特定手段と、権限特定手段にて特定した権限に基づいて、第１および第２の表示手段のうちいずれにて画面を表示するかを決定する第２の表示決定手段とをさらに備え、第２の表示手段は、第１の表示手段にて表示する画面のリストの一部の情報を非表示とした態様で画面を表示する。
【００１８】
上記表示装置において好ましくは、第１の表示手段にて表示する画面のリストに含まれる文字のサイズは、第２の表示手段にて表示する画面のリストに含まれる文字のサイズと同じである。
【００１９】
上記表示装置において好ましくは、画面は、画像形成装置の各種の設定を行う設定画面である。
【００２０】
本発明の他の局面に従う表示装置の制御方法は、表示部と、文字で表された複数の情報よりなるスクロール可能なリストを含む画面を表示部に表示する第１の表示手段と、第１の表示手段とは異なる態様で画面を表示部に表示する第２の表示手段とを備えた表示装置の制御方法であって、リストを所定の方向にスクロールさせるフリック操作を受け付ける操作受付ステップと、操作受付ステップにてフリック操作を受け付けた場合に、画面が第１および第２の表示手段のいずれにて表示されているかに基づいて、スクロール速度を決定してリストをスクロール表示する速度決定ステップとを備え、第１の表示手段にて画面の全体を表示した場合の文字のサイズが、第２の表示手段にて画面の全体を表示した場合の文字のサイズよりも小さい場合、第２の表示手段にて画面の全体を表示した場合のリストの表示領域のスクロール方向の長さが、第１の表示手段にて画面の全体を表示した場合のリストの表示領域のスクロール方向の長さよりも長い場合、第１の表示手段にて表示する画面がリストに関するサムネイルを含み、かつ第２の表示手段にて表示する画面がリストに関するサムネイルを含まない場合、および第２の表示手段にて表示する画面のリストが、第１の表示手段にて表示する画面のリストの一部の情報を非表示としたものである場合のうち少なくともいずれか１つの場合に、速度決定ステップにおいて、受け付けた所定のフリック操作に対する、第１の表示手段にて表示したリストのスクロール速度を第２の表示手段にて表示したリストのスクロール速度よりも遅い速度に決定する。
【００２１】
本発明のさらに他の局面に従う表示装置の制御プログラムは、表示部と、文字で表された複数の情報よりなるスクロール可能なリストを含む画面を表示部に表示する第１の表示手段と、第１の表示手段とは異なる態様で画面を表示部に表示する第２の表示手段とを備えた表示装置の制御プログラムであって、リストを所定の方向にスクロールさせるフリック操作を受け付ける操作受付ステップと、操作受付ステップにてフリック操作を受け付けた場合に、画面が第１および第２の表示手段のいずれにて表示されているかに基づいて、スクロール速度を決定してリストをスクロール表示する速度決定ステップとをコンピューターに実行させ、第１の表示手段にて画面の全体を表示した場合の文字のサイズが、第２の表示手段にて画面の全体を表示した場合の文字のサイズよりも小さい場合、第２の表示手段にて画面の全体を表示した場合のリストの表示領域のスクロール方向の長さが、第１の表示手段にて画面の全体を表示した場合のリストの表示領域のスクロール方向の長さよりも長い場合、第１の表示手段にて表示する画面がリストに関するサムネイルを含み、かつ第２の表示手段にて表示する画面がリストに関するサムネイルを含まない場合、および第２の表示手段にて表示する画面のリストが、第１の表示手段にて表示する画面のリストの一部の情報を非表示としたものである場合のうち少なくともいずれか１つの場合に、速度決定ステップにおいて、受け付けた所定のフリック操作に対する、第１の表示手段にて表示したリストのスクロール速度を第２の表示手段にて表示したリストのスクロール速度よりも遅い速度に決定する。
【発明の効果】
【００２２】
本発明によれば、スクロール中の視認性が高い表示装置、表示装置の制御方法、および表示装置の制御プログラムを提供することができる。
【図面の簡単な説明】
【００２３】
【図１】本発明の一実施の形態における画像形成システムの概略的な構成を示す図である。
【図２】ＭＦＰ１の内部構成を示すブロック図である。
【図３】操作パネル１５の構成を模式的に示す図である。
【図４】携帯情報端末１００の内部構成を示すブロック図である。
【図５】第１の例において、リモートパネルが横向きの場合の表示画面を模式的に示す図である。
【図６】第１の例において、リモートパネルが縦向きの場合の表示画面を模式的に示す図である。
【図７】フリック操作とスクロール速度との関係を説明するための図である。
【図８】第１の例において、ログインを受け付けた場合のＭＦＰ１の動作を示すフローチャートである。
【図９】第１の例において、リスト画面を表示した場合のＭＦＰ１の動作を示すフローチャートである。
【図１０】第２の例において、１行表示の態様でリスト画面を表示する場合のリモートパネルの表示画面を模式的に示す図である。
【図１１】第２の例において、２行表示の態様でリスト画面を表示する場合のリモートパネルの表示画面を模式的に示す図である。
【図１２】ＭＦＰ１の動作の第２の例を示すフローチャートである。
【図１３】第３の例において、通常表示の態様でリスト画面を表示する場合のリモートパネルの表示画面を模式的に示す図である。
【図１４】第３の例において、拡張表示の態様でリスト画面を表示する場合のリモートパネルの表示画面を模式的に示す図である。
【図１５】ＭＦＰ１の動作の第３の例を示すフローチャートである。
【図１６】第４の例において、サムネイル表示の態様でリスト画面を表示する場合のリモートパネルの表示画面を模式的に示す図である。
【図１７】第４の例において、サムネイル非表示の態様でリスト画面を表示する場合のリモートパネルの表示画面を模式的に示す図である。
【図１８】ＭＦＰ１の動作の第４の例を示すフローチャートである。
【図１９】固定記憶装置１２に記録されるユーザー情報テーブルを模式的に示す図である。
【図２０】第５の例において、表示制限しない態様でリスト画面を表示する場合のリモートパネルの表示画面を模式的に示す図である。
【図２１】第５の例において、表示制限した態様でリスト画面を表示する場合のリモートパネルの表示画面を模式的に示す図である。
【図２２】第５の例において、ログインを受け付けた場合のＭＦＰ１の動作を示すフローチャートである。
【図２３】第５の例において、リスト画面を表示した場合のＭＦＰ１の動作を示すフローチャートである。
【発明を実施するための形態】
【００２４】
以下、本発明の一実施の形態について、図面に基づいて説明する。
【００２５】
以下の実施の形態において、表示装置は、表示部を備えたものであればよく、たとえば画像形成装置本体に対して着脱可能な操作パネルを備えた画像形成装置、画像形成装置本体に固定された（取り外しが不可能な）操作パネルを備えた画像形成装置、または画像形成装置と無線通信または有線通信が可能な携帯情報端末（たとえばタブレットやスマートフォンなど）などであってもよい。
【００２６】
（画像形成システムの構成）
始めに、本実施の形態における画像形成システムの概略的な構成について説明する。
【００２７】
図１は、本発明の一実施の形態における画像形成システムの概略的な構成を示す図である。図１では、ＭＦＰ１の操作パネル１５が拡大して示されている。
【００２８】
図１を参照して、本実施の形態における画像形成システムは、画像形成装置としてのＭＦＰ１と、携帯情報端末１００とを備えている。ＭＦＰ１は、スキャナー機能、ファクシミリ機能、複写機能、プリンターとしての機能、データ通信機能、およびサーバー機能などを備えている。ＭＦＰ１は、その前面に操作パネル１５を備えている。操作パネル１５は、ＭＦＰ１に関する各種情報を表示し、かつＭＦＰ１のオペレーション操作を受け付ける。操作パネル１５は、ＭＦＰ１本体（ＭＦＰ１における操作パネル１５を除く部分）に対して着脱可能である。携帯情報端末１００は、ＭＦＰ１と無線通信が可能である。
【００２９】
図２は、ＭＦＰ１の内部構成を示すブロック図である。
【００３０】
図２を参照して、ＭＦＰ１は、制御部１１と、固定記憶装置１２と、無線Ｉ／Ｆ１３と、画像読取装置１４と、操作パネル１５と、画像出力装置１６と、プリンタコントローラー１７と、ネットワークＩ／Ｆ１８と、近接判定装置１９とを備えている。制御部１１には、固定記憶装置１２、無線Ｉ／Ｆ１３、画像読取装置１４、操作パネル１５、画像出力装置１６、プリンタコントローラー１７、ネットワークＩ／Ｆ１８、および近接判定装置１９の各々がバスを介して接続されている。
【００３１】
制御部１１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＳＲＡＭ（Ｓｔａｔｉｃ  Ｒａｎｄｏｍ  Ａｃｃｅｓｓ  Ｍｅｍｏｒｙ）２３と、ＮＶＲＡＭ（Ｎｏｎ  Ｖｏｌａｔｉｌｅ  Ｒａｎｄｏｍ  Ａｃｃｅｓｓ  Ｍｅｍｏｒｙ、不揮発性メモリ）２４と、時計ＩＣ（Ｉｎｔｅｇｒａｔｅｄ  Ｃｉｒｃｕｉｔ）２５とを含んでいる。ＣＰＵ２１は、ＲＯＭ２２に記憶された制御プログラムを実行する。ＲＯＭ２２は、ＭＦＰ１の動作を制御する制御プログラムを格納する。ＳＲＡＭ２３はＣＰＵ２１の作業用のメモリである。ＮＶＲＡＭ２４はバッテリバックアップにより、画像形成に関わる各種の設定を記憶する。時計ＩＣ２５は計時を行う。
【００３２】
固定記憶装置１２は、たとえばＨＤＤ（Ｈａｒｄ  Ｄｉｓｋ  Ｄｒｉｖｅ）であり、ユーザー情報テーブル（図１９）や、リストなどの各種情報を記憶している。
【００３３】
リストとは、文字で表された複数の情報を一定の形式に従って書き並べたものを意味しており、ジョブ履歴やアドレス帳などがこれに該当する。ジョブ履歴とは、ＭＦＰ１で実行したジョブの履歴を記録したものであり、ジョブの実行時間、種類、設定などの情報を含んでいる。アドレス帳とは、ファクシミリやメールの送信先の候補、またはスキャンした画像の保存先の候補などを記録したものであり、送信先や保存先の候補の名前やファクシミリ番号などの情報を含んでいる。またリストは、ジョブリストや、ＭＦＰ１のボックスなどに保存された文書のリストなどであってもよい。
【００３４】
無線Ｉ／Ｆ１３は、たとえばＢｌｕｅｔｏｏｔｈ（登録商標）やＩｒＤＡ（登録商標）などであり、外部機器との通信に用いられる。
【００３５】
画像読取装置１４は、原稿画像を読み取る。
【００３６】
操作パネル１５は、数字の入力を行うテンキー３１と、各種ジョブの実行指示を受け付けるスタートキー３２と、各種情報の画面を表示するＬＣＤ（Ｌｉｑｕｉｄ  Ｃｒｙｓｔａｌ  Ｄｉｓｐｌａｙ）などの表示部３３と、表示部３３の前面に配置されたタッチパネル３４と、操作パネルの向きを判定する向き判定部３５などを含んでいる。タッチパネル３４は、表示部３３へのタップやフリックなどの操作入力を受け付ける。向き判定部３５は、表示部を支えるヒンジに設けられた角度センサーや、操作パネル１５に加わる加速度を計測する加速度センサーなどにより、操作パネル１５の向き（縦向きか横向きか）を判定する。
【００３７】
画像出力装置１６は、複写画像を用紙上に形成する。
【００３８】
プリンタコントローラー１７は、ネットワークＩ／Ｆ１８により受信したプリントデータから複写画像を生成する。
【００３９】
ネットワークＩ／Ｆ１８は、ネットワークケーブル４ａを介してＭＦＰ１をネットワーク４に接続する。ネットワークＩ／Ｆ１８は、携帯情報端末１００などの外部機器との間で、各種の情報を送受信する。
【００４０】
近接判定装置１９は、ＭＦＰ１への人体の接近を検知する。
【００４１】
図３は、操作パネル１５の構成を模式的に示す図である。
【００４２】
図３を参照して、操作パネル１５は、各種数値の入力を受け付けるテンキー３１と、各機能のジョブの実行を受け付けるスタートキー３２と、各種設定項目やメッセージなどを表示する表示部３３と、表示部３３に重ねられており、ユーザーから各種設定を受け付けるタッチパネル３４とを主に含んでいる。
【００４３】
図３では、操作パネル１５は、たとえば、ＭＦＰ１の各種機能（ここではコピー機能）の設定画面を表示部３３に表示する。各種機能の設定画面は、特定の機能に関する各種設定を受け付ける各種キーを含んでいる。表示部３３の左側には「ジョブ詳細」キーであるキーＫ１が表示される。キーＫ１が押下された場合には、操作パネル１５は、固定記憶装置１２に記憶されているジョブ履歴を表示部３３に表示する。表示部３３の下側には、「ファックス／スキャン」キーであるキーＫ２が設けられている。キーＫ２が押下された場合には、操作パネル１５は、固定記憶装置１２に記憶されているアドレス帳を表示部３３に表示する。
【００４４】
図４は、携帯情報端末１００の内部構成を示すブロック図である。
【００４５】
図４を参照して、携帯情報端末１００は、制御部１１１と、ネットワークＩ／Ｆ１１２と、メモリ部１１３と、表示部１１４と、タッチパネル入力部１１５と、向き判定部１１６とを主に含んでいる。制御部１１１には、ネットワークＩ／Ｆ１１２、メモリ部１１３、表示部１１４、タッチパネル入力部１１５、および向き判定部１１６の各々が接続されている。
【００４６】
制御部１１１は、携帯情報端末１００全体の制御を行う。制御部１１１は、携帯情報端末１００の制御プログラムを実行するＣＰＵと、制御プログラムなどを記憶するＲＯＭと、ＣＰＵの作業用のメモリであるＲＡＭなどを含んでいる。
【００４７】
ネットワークＩ／Ｆ１１２は、携帯情報端末１００をネットワーク４に有線接続または無線接続する。ネットワークＩ／Ｆ１１２は、ＭＦＰ１との間で各種の情報を送受信する。
【００４８】
メモリ部１１３は、携帯情報端末１００の稼動や使用をサポートするためのオペレーティングシステムのプログラムと、ＭＦＰ１を操作するためのリモートパネルアプリのプログラムなどを記憶している。
【００４９】
表示部１１４は、ＬＣＤなどよりなり、制御部１１１の制御により各種情報を表示する。
【００５０】
タッチパネル入力部１１５は、携帯情報端末１００に表示した画面の操作を受け付ける。
【００５１】
向き判定部１１６は、携帯情報端末１００に加わる加速度などにより、重力方向に対する携帯情報端末１００の向き（縦向きか横向きか）を判定する。
【００５２】
携帯情報端末１００においてリモートパネルアプリが起動されると、ＭＦＰ１は、リモートパネルアプリが起動された旨の通知を携帯情報端末１００から受け付け、携帯情報端末１００のユーザーの認証処理を行う。ＭＦＰ１は、ユーザーの認証に成功した場合、そのユーザーのログイン処理を行ない、ＭＦＰ１の所定の機能の利用を許可する。この場合携帯情報端末１００は、操作パネル１５の表示部３３の表示画面と同様の画面（つまり、ＭＦＰ１の操作画面）を表示部１１４に表示し、操作パネル１５に設けられたハードウェアキーを表示部１１４に表示する。携帯情報端末１００は、リモートパネルアプリが起動されている場合、ユーザーから受け付けた操作をＭＦＰ１に通知し、ＭＦＰ１から受信した画面を表示部１１４に表示する。
【００５３】
本実施の形態の画像形成システムにおいて、操作パネル１５または携帯情報端末１００に各種情報を表示し、操作パネル１５または携帯情報端末１００からの操作を受け付ける。以降、操作パネル１５や携帯情報端末１００などのような、ＭＦＰ１の各種情報を表示し、かつＭＦＰ１を遠隔操作可能なユーザーインターフェースを、リモートパネルと呼ぶことがある。
【００５４】
ＭＦＰ１は、文字で表された複数の情報よりなるスクロール可能なリストを含む画面（以降、リスト画面と呼ぶことがある）を、異なる２つの態様でリモートパネルに表示する。ＭＦＰ１は、このリストを一定の距離だけスクロールさせるフリック操作（画面を指で払う操作）の入力をリモートパネルから受け付けた場合に、このリスト画面が２つの態様のうちどちらの態様で表示されているかを判別し、その判別結果に基づいてリストのスクロール速度を決定する。
【００５５】
ＭＦＰ１は、２つの異なる態様のうち、スクロールした場合にリストを視認しにくくなる方の態様でリスト画面を表示した状態でリストをスクロールする場合に、もう一方の態様でリスト画面を表示した場合に比べて、リストのスクロール速度をより遅くすることにより、スクロール中の視認性を向上する。
【００５６】
以降、ＭＦＰの動作の第１〜第５の例について順に説明する。第１〜第５の例では、ＭＦＰの各種の設定を行う設定画面において、リスト画面の表示態様が互いに異なっている。
【００５７】
（ＭＦＰの動作の第１の例）
第１の例では、ＭＦＰ１は、向き判定部３５または１１６にて判定したリモートパネルの向きに基づいて、縦表示と横表示との間でリスト画面の表示態様を切り替え、リスト画面の表示態様が縦表示か横表示かに基づいてスクロール速度を決定する。
【００５８】
図５は、第１の例において、リモートパネルが横向きの場合の表示画面を模式的に示す図である。図６は、第１の例において、リモートパネルが縦向きの場合の表示画面を模式的に示す図である。
【００５９】
図５および図６を参照して、リモートパネルはタッチパネル式の略矩形状の表示部を有している。リモートパネルには、スキャンの送信の設定を行うリスト画面（図３においてキーＫ２が押下された場合の画面）全体が表示されており、このリスト画面は、アドレス帳であるリストＩＭ１と、リスト以外の各種情報ＩＭ２とを含む。リストＩＭ１は、複数ページにわたる、多数の宛先の情報を含んでいるため、リスト画面におけるリストの表示領域にリスト全体を表示することができない。このため、リストＩＭ１の右側にはスクロールバーが表示されており、リストＩＭ１は、画面中縦方向（図５および図６中縦方向）にスクロール可能となっている。各種情報ＩＭ２はスクロール不可能である。
【００６０】
リストＩＭ１の横方向には、アドレス帳に登録された１つの宛先に関する宛先の種類、名称、および宛先が表示されている。リストＩＭ１の縦方向には、アドレス帳に登録された宛先が並んでいる。
【００６１】
ＭＦＰ１は、異なる２つの表示態様でリスト画面をリモートパネルに表示する。１つ目の表示態様（横表示の態様）は、図５に示すように、リモートパネルが横向きの状態でユーザーによって保持された場合の表示態様である。すなわち、リモートパネルが横向きの状態では、リモートパネルの表示部の長辺Ｌ１およびＬ２が上下方向に存在し、リモートパネルの表示部の一方の長辺Ｌ１が、他方の長辺Ｌ２よりも高い位置に存在する。リモートパネルが横向きの状態で保持された場合、ＭＦＰ１は横表示の態様でリスト画面を表示し、リモートパネルには通常の大きさの画面が表示される。すなわちＭＦＰ１は、リスト画面の長辺Ｍ１がリモートパネルの表示部の長辺Ｌ１およびＬ２に対応するように、リスト画面を表示する。横表示の態様では、リモートパネルの表示部全体を占めるようにリスト画面が表示され、リスト画面の文字も大きく表示される。
【００６２】
２つ目の表示態様（縦表示の態様）は、図６に示すように、横向きの状態のリモートパネルを９０度回転することにより、リモートパネルが縦向きの状態でユーザーによって保持された場合の表示態様である。すなわち、リモートパネルが縦向きの状態では、リモートパネルの表示部の短辺Ｌ３およびＬ４が上下方向に存在し、リモートパネルの表示部の一方の短辺Ｌ３が、他方の短辺Ｌ４よりも高い位置に存在する。リモートパネルが縦向きの状態で保持された場合、ＭＦＰ１はリモートパネルの向きに応じてリスト画面を正立に表示するために、縦表示の態様でリスト画面を表示する。すなわちＭＦＰ１は、リスト画面の長辺Ｍ１がリモートパネルの表示部の短辺Ｌ３およびＬ４に対応するように、リスト画面を縦方向および横方向に同じ倍率で縮小して表示する。
【００６３】
縦表示の態様では、リモートパネルの一部（たとえば上側）を占めるようリスト画面が表示され、リモートパネルの残りの部分（たとえば下側）には何も表示されない。縦表示の態様では横表示の態様に比べて文字のサイズが小さくなる。
【００６４】
ＭＦＰ１は、リスト画面をリモートパネルに表示した状態で、リストＩＭ１が表示された領域（フリック対象となる領域）に対してユーザーからフリック操作を受け付けると、フリック操作に応じた速度でリストＩＭ１をスクロールさせる。第１の例では、ＭＦＰ１は、リスト画面が横表示の態様で表示されているか、あるいは縦表示の態様で表示されているかを判別する。そしてＭＦＰ１は、リスト画面が縦表示の態様の場合には、スクロール速度を、横表示の態様の場合のスクロール速度よりも遅くする。
【００６５】
続いて、フリック操作とスクロール速度との関係について説明する。
【００６６】
図７は、フリック操作とスクロール速度との関係を説明するための図である。（ａ）は、フリック操作の始点および終点を示す図であり、（ｂ）は、実際のスクロール速度と時刻との関係を示す図であり、（ｃ）は、フリック速度とスクロール速度との関係を示す図である。
【００６７】
図７（ａ）を参照して、フリック操作は、始点Ｐ１から終点Ｐ２に向かって指または操作棒Ｆを払う（直線的に移動する）ことによって行われる。一般的に、フリック距離（始点Ｐ１から終点Ｐ２までの距離）ＬＧが長いほどスクロールする距離が長くなる。
【００６８】
図７（ｂ）を参照して、実際のスクロール速度は、典型的には、フリック操作を受け付けた時刻ＴＭ１から時刻ＴＭ２まで急激に加速し、時刻ＴＭ２から時刻ＴＭ３の間は一定であり、時刻ＴＭ３から時刻ＴＭ４まで急激に減速し、時刻ＴＭ４でゼロとなる。
【００６９】
本明細書において、スクロール速度とは、時刻Ｔ１から時刻Ｔ４までの間（スクロール中）のスクロールの平均速度ＶＡまたは最高速度ＶＭを意味している。
【００７０】
図７（ｃ）を参照して、一般的に、フリック速度（指または操作棒の移動速度）が速いほど、スクロール速度は速くなる。第１の例における横表示の態様の場合のスクロール速度は、線ＬＮ１で示されている。第１の例における縦表示の態様の場合のスクロール速度は、線ＬＮ２で示されている。線ＬＮ１のスクロール速度と線ＬＮ２のスクロール速度とを同じフリック速度で比較すると、線ＬＮ２のスクロール速度は、全てのフリック速度の場合に、線ＬＮ１のスクロール速度よりも遅くなっている。
【００７１】
第１〜第５の例において、２つの表示態様でのスクロール速度を比較する場合、２つの表示態様の各々でユーザーから受け付けるフリック操作（フリック距離およびフリック速度）は同一であることを前提としている。
【００７２】
続いて、ＭＦＰ１の動作の第１の例を示すフローチャートについて説明する。
【００７３】
図８は、第１の例において、ログインを受け付けた場合のＭＦＰ１の動作を示すフローチャートである。
【００７４】
図８を参照して、ＭＦＰ１の制御部１１は、ユーザーがログインした場合、そのユーザーのログイン処理を行ない（Ｓ１００１）、リスト画面を表示する指示をリモートパネルから受け付ける（Ｓ１００３）と、向き判定部３５または１１６にてリモートパネルの向きを判定する（Ｓ１００５）。続いて制御部１１は、リモートパネルの向きに基づいて、リスト画面の表示態様を決定し（Ｓ１００７）、その態様でリスト画面を表示し（Ｓ１００９）、処理を終了する。
【００７５】
図９は、第１の例において、リスト画面を表示した場合のＭＦＰ１の動作を示すフローチャートである。
【００７６】
図９を参照して、ＭＦＰ１の制御部１１は、リスト画面を表示した状態で、リモートパネルの画面が押下されたか否かを判別し（Ｓ１）、押下されたと判別した場合には（Ｓ１でＹＥＳ）、押下された位置がフリック対象となる領域であるか否かを判別する（Ｓ３）。
【００７７】
ステップＳ３において、フリック対象となる領域であると判別した場合（Ｓ３でＹＥＳ）、制御部１１は、受け付けた押下が所定方向のフリック操作であるか否かを判別する（Ｓ５）。
【００７８】
ステップＳ５において、所定方向のフリック操作であると判別した場合（Ｓ５でＹＥＳ）、制御部１１は、向き判定部３５または１１６の判定結果に基づいて、リモートパネルの表示態様が横表示か縦表示かを判別する（Ｓ７）。
【００７９】
ステップＳ７において、横表示であると判別した場合（Ｓ７で「横」）、制御部１１は、スクロール速度を速く設定して、受け付けた方向にリスト画面をスクロールさせ（Ｓ９）、処理を終了する。一方、ステップＳ７において、縦表示であると判別した場合（Ｓ７で「縦」）、制御部１１は、スクロール速度を遅く設定してスクロールさせ（Ｓ１１）、処理を終了する。
【００８０】
ステップＳ３において、フリック対象となる領域でないと判別した場合（Ｓ３でＮＯ）、またはステップＳ５において、所定方向のフリック操作でないと判別した場合（Ｓ５でＮＯ）、制御部１１は通常のキー操作が行われたと判断し、そのキー操作に基づく処理を行い（Ｓ１５）、処理を終了する。
【００８１】
リスト画面全体をリモートパネルに表示した場合、縦表示の態様でのリストＩＭ１の文字のサイズは、横表示の態様でのリストＩＭ１の文字のサイズよりも小さい。したがって、仮に、縦表示の態様でのスクロール速度を横表示の態様でのスクロール速度と同じにすると、縦表示の態様でのスクロール中にリストを視認することが困難になる。したがって、第１の例のように、縦表示の態様でのスクロール速度を、横表示の態様でのスクロール速度よりも遅く（制限する）することにより、縦表示の態様でのスクロール中のリストの視認性を向上することができる。
【００８２】
なお、ＭＦＰ１は、向き判定部３５または１１６による判定結果に基づく代わりに、表示態様の選択（たとえばリモートパネルに表示したソフトウェアキーの押下による選択）をユーザーから受け付け、その選択に基づいて、縦表示と横表示との間でリスト画面の表示態様を切り替えてもよい。
【００８３】
また、スクロール速度の設定を、縦表示の態様と横表示の態様とでの文字サイズの比率に対応して設定してもよく、あるいは単位時間あたりにスクロールする文字数（情報量）の比率に対応して設定してもよい。後者においてたとえば、横表示の態様に比べて縦表示の態様の方が、文字サイズが小さくあるいは文字サイズと文字間隔が小さくなることによりスクロール方向の単位長さあたりの文字数が２倍になるのであれば、当該スクロール方向へのスクロール速度を、横表示の態様に比べて縦表示の態様の方を１／２倍に設定する。
【００８４】
（ＭＦＰの動作の第２の例）
第２の例では、ＭＦＰ１は、ユーザーから受け付けた表示態様の選択などに基づいて、リストの１つの情報を１行で表示する態様（１行表示の態様）と、２行で表示する態様（２行表示の態様）との間でリスト画面の表示態様を切り替え、リスト画面の表示状態がいずれの態様であるかに基づいてスクロール速度を決定する。
【００８５】
図１０は、第２の例において、１行表示の態様でリスト画面を表示する場合のリモートパネルの表示画面を模式的に示す図である。図１１は、第２の例において、２行表示の態様でリスト画面を表示する場合のリモートパネルの表示画面を模式的に示す図である。
【００８６】
図１０および図１１を参照して、リモートパネルはタッチパネル式の略矩形状の表示部を有している。リモートパネルには、ジョブ履歴のリスト画面（図３においてキーＫ１が押下された場合の画面）全体が表示されており、このリスト画面は、ジョブ履歴であるリストＩＭ１と、リスト以外の各種情報ＩＭ２とを含む。リストＩＭ１は、複数ページにわたる、ＭＦＰ１で実行した多数のジョブの情報を含んでいるため、リスト画面におけるリストの表示領域にリスト全体を表示することができない。このため、リストＩＭ１の右側にはスクロールバーが表示されており、リストＩＭ１は、画面中縦方向（図１０および図１１中縦方向）にスクロール可能となっている。各種情報ＩＭ２はスクロール不可能である。なお、リスト画面には、表示態様を切り替えるためのソフトウェアキーがさらに表示されてもよい。
【００８７】
図１０および図１１のいずれの表示態様も、縦表示の態様であり、ＭＦＰ１は、リスト画面の長辺Ｍ１がリモートパネルの表示部の短辺Ｌ３およびＬ４に対応するようにリスト画面を表示する。この場合、図６に示す縦表示の態様と同様に、リスト画面が横方向に縮小される。一方、ＭＦＰ１は、リモートパネルの表示部の長辺Ｌ１およびＬ２に合わせて、リストＩＭ１の表示領域を縦方向に拡大する。リストＩＭ１の表示領域を縦方向に拡大する点で、図１０および図１１の表示態様は、図６の表示態様と異なっている。
【００８８】
１行表示の態様では、図１０に示すように、リストＩＭ１の横方向には、ＭＦＰ１で実行された１つのジョブに関する各項目（すなわち番号、ジョブの種別、文書名または宛先、ジョブが登録された時間、ジョブの総枚数、およびジョブの実行結果）が１行で表示される。リストＩＭ１の縦方向には、各ジョブが並べられる。１行表示の態様では、横方向の文字のサイズが小さくなる。
【００８９】
２行表示の態様では、図１１に示すように、リストＩＭ１の横方向には、ＭＦＰ１で実行された１つのジョブに関する各項目が２行で表示される。具体的に、ＭＦＰ１は、ＭＦＰ１で実行された１つのジョブに関する番号を１行目および２行目に表示し、ジョブの種別、および文書名または宛先を１行目に表示し、ジョブが登録された時間、ジョブの総枚数、およびジョブの実行結果を２行目に表示する。リストＩＭ１の縦方向には、各ジョブが並べられる。
【００９０】
２行表示の態様では、１つのジョブに関する情報を記載するスペースが増加するため、１行表示の態様に比べて文字のサイズが拡大され、横表示の態様（図５に示す態様）の場合とほぼ同じ文字のサイズで表示される。また、２行表示の態様では、１行表示の態様に比べて、リストの１行あたりの情報量が少なくなる。
【００９１】
ＭＦＰ１は、リスト画面をリモートパネルに表示した状態で、リストＩＭ１が表示された領域（フリック対象となる領域）に対してユーザーからフリック操作を受け付けると、フリック操作に応じた速度でリストＩＭ１をスクロールさせる。第２の例では、ＭＦＰ１は、リスト画面が１行表示の態様で表示されているか、あるいは２行表示の態様で表示されているかを判別する。そしてＭＦＰ１は、リスト画面が１行表示の態様で表示されている場合には、スクロール速度を、２行表示の態様で表示されている場合のスクロール速度よりも遅くする。
【００９２】
続いて、ＭＦＰ１の動作の第２の例を示すフローチャートについて説明する。
【００９３】
図１２は、ＭＦＰ１の動作の第２の例を示すフローチャートである。
【００９４】
図１２を参照して、ＭＦＰ１の制御部１１は、リスト画面を表示した状態で、リモートパネルの画面が押下されたか否かを判別し（Ｓ１０１）、押下されたと判別した場合には（Ｓ１０１でＹＥＳ）、押下された位置がフリック対象となる領域であるか否かを判別する（Ｓ１０３）。
【００９５】
ステップＳ１０３において、フリック対象となる領域であると判別した場合（Ｓ１０３でＹＥＳ）、制御部１１は、受け付けた押下が所定方向のフリック操作であるか否かを判別する（Ｓ１０５）。
【００９６】
ステップＳ１０５において、所定方向のフリック操作であると判別した場合（Ｓ１０５でＹＥＳ）、制御部１１は、リモートパネルの表示態様が１行表示か２行表示かを判別する（Ｓ１０７）。
【００９７】
ステップＳ１０７において、２行表示であると判別した場合（Ｓ１０７で「２行」）、制御部１１は、スクロール速度を速く設定して、受け付けた方向にリスト画面をスクロールさせ（Ｓ１０９）、処理を終了する。一方、ステップＳ１０７において、１行表示であると判別した場合（Ｓ１０７で「１行」）、制御部１１は、スクロール速度を遅く設定してスクロールさせ（Ｓ１１１）、処理を終了する。
【００９８】
ステップＳ１０３において、フリック対象となる領域でないと判別した場合（Ｓ１０３でＮＯ）、またはステップＳ１０５において、所定方向のフリック操作でないと判別した場合（Ｓ１０５でＮＯ）、制御部１１は通常のキー操作が行われたと判断し、そのキー操作に基づく処理を行い（Ｓ１１５）、処理を終了する。
【００９９】
リスト画面全体をリモートパネルに表示した場合、１行表示の態様の場合のリストＩＭ１の文字のサイズは、２行表示の態様の場合のリストＩＭ１の文字のサイズよりも小さく、１行表示の態様の場合の１行あたりの情報量は、２行表示の態様の場合の１行あたりの情報量よりも多い。したがって、仮に、１行表示の態様の場合のスクロール速度を２行表示の態様の場合のスクロール速度と同じにすると、１行表示の態様の場合のスクロール中にリストを視認することが困難になる。したがって、第２の例のように、１行表示の態様でのスクロール速度を、２行表示の態様でのスクロール速度よりも遅くすることにより、１行表示の態様でのスクロール中のリストの視認性を向上することができる。
【０１００】
なお、上述の第２の例では、１つ目の表示態様が、リストの１つの情報を１行で表示する態様であり、２つ目の表示態様が、リストの１つの情報を２行で表示する態様である場合について説明したが、１つ目の表示態様では、複数の情報の各々が第１の行数で表示されるようにリスト画面が表示され、２つ目の表示態様では、複数の情報の各々が第１の行数よりも多い第２の行数で表示されるようにリスト画面が表示されればよい。
【０１０１】
（ＭＦＰの動作の第３の例）
第３の例では、ＭＦＰ１は、ユーザーから受け付けた表示態様の選択などに基づいて、リストの表示領域が通常のサイズである態様（通常表示の態様）と、拡張したサイズである態様（拡張表示の態様）との間でリスト画面の表示態様を切り替え、リスト画面の表示状態がいずれの態様であるかに基づいてスクロール速度を決定する。
【０１０２】
図１３は、第３の例において、通常表示の態様でリスト画面を表示する場合のリモートパネルの表示画面を模式的に示す図である。図１４は、第３の例において、拡張表示の態様でリスト画面を表示する場合のリモートパネルの表示画面を模式的に示す図である。
【０１０３】
図１３および図１４を参照して、リモートパネルはタッチパネル式の略矩形状の表示部を有している。リモートパネルには、ジョブ履歴のリスト画面（図３においてキーＫ１が押下された場合の画面）全体が表示されており、このリスト画面は、ジョブ履歴であるリストＩＭ１と、リスト以外の各種情報ＩＭ２とを含む。リストＩＭ１は、複数ページにわたる、ＭＦＰ１で実行した多数のジョブの情報を含んでいるため、リスト画面におけるリストの表示領域にリスト全体を表示することができない。このため、リストＩＭ１の右側にはスクロールバーが表示されており、リストＩＭ１は、画面中縦方向（図１３および図１４中縦方向）にスクロール可能となっている。各種情報ＩＭ２はスクロール不可能である。なお、リスト画面には、表示態様を切り替えるためのソフトウェアキーがさらに表示されてもよい。
【０１０４】
図１３および図１４のいずれの表示態様も、縦表示の態様であり、ＭＦＰ１は、リスト画面の長辺Ｍ１がリモートパネルの表示部の短辺Ｌ３およびＬ４に対応するようにリスト画面を表示する。この場合、図６に示す縦表示の態様と同様に、リスト画面が横方向に縮小される。
【０１０５】
通常表示の態様では、図１３に示すように、横方向の縮小率と同じ縮小率で、リスト画面が縦方向にも縮小されて表示される。通常表示の態様では、リモートパネルの一部（たとえば上側）を占めるようリスト画面が表示され、リモートパネルの残りの部分（たとえば下側）には何も表示されていない。通常表示の態様でリスト画面全体を表示した場合、リストの表示領域は、リモートパネルの表示部の長辺Ｌ１およびＬ２に沿った方向（スクロール方向）に沿う長さＬ１１を有している。
【０１０６】
拡張表示の態様では、図１４に示すように、リモートパネルの表示部の長辺Ｌ１およびＬ２に合わせて、リストＩＭ１の表示領域を縦方向（ここでは下方向）に拡張した表示態様である。拡張表示の態様では、リモートパネルの全体にリスト画面が表示され、表示部の下側のスペースが有効利用される。拡張表示の態様でリスト画面全体を表示した場合、リストの表示領域は、リモートパネルの表示部の長辺Ｌ１およびＬ２に沿った方向（スクロール方向）に沿う長さＬ１２を有している。長さＬ１２は長さＬ１１よりも長い。なお、通常表示の態様および拡張表示の態様の各々で、リストの文字のサイズは同じである。
【０１０７】
ＭＦＰ１は、リスト画面をリモートパネルに表示した状態で、リストＩＭ１が表示された領域（フリック対象となる領域）に対してユーザーからフリック操作を受け付けると、フリック操作に応じた速度でリストＩＭ１をスクロールさせる。第３の例では、ＭＦＰ１は、リスト画面が通常表示の態様で表示されているか、あるいは拡張表示の態様で表示されているかを判別する。そしてＭＦＰ１は、リスト画面が通常表示の態様で表示されている場合には、スクロール速度を、拡張表示の態様で表示されている場合のスクロール速度よりも遅くする。
【０１０８】
続いて、ＭＦＰ１の動作の第３の例を示すフローチャートについて説明する。
【０１０９】
図１５は、ＭＦＰ１の動作の第３の例を示すフローチャートである。
【０１１０】
図１５を参照して、ＭＦＰ１の制御部１１は、リスト画面を表示した状態で、リモートパネルの画面が押下されたか否かを判別し（Ｓ２０１）、押下されたと判別した場合には（Ｓ２０１でＹＥＳ）、押下された位置がフリック対象となる領域であるか否かを判別する（Ｓ２０３）。
【０１１１】
ステップＳ２０３において、フリック対象となる領域であると判別した場合（Ｓ２０３でＹＥＳ）、制御部１１は、受け付けた押下が所定方向のフリック操作であるか否かを判別する（Ｓ２０５）。
【０１１２】
ステップＳ２０５において、所定方向のフリック操作であると判別した場合（Ｓ２０５でＹＥＳ）、制御部１１は、リモートパネルの表示態様が通常表示か拡張表示かを判別する（Ｓ２０７）。
【０１１３】
ステップＳ２０７において、拡張表示であると判別した場合（Ｓ２０７で「拡張」）、制御部１１は、スクロール速度を速く設定して、受け付けた方向にリスト画面をスクロールさせ（Ｓ２０９）、処理を終了する。一方、ステップＳ２０７において、通常表示であると判別した場合（Ｓ２０７で「通常」）、制御部１１は、スクロール速度を遅く設定してスクロールさせ（Ｓ２１１）、処理を終了する。
【０１１４】
ステップＳ２０３において、フリック対象となる領域でないと判別した場合（Ｓ２０３でＮＯ）、またはステップＳ２０５において、所定方向のフリック操作でないと判別した場合（Ｓ２０５でＮＯ）、制御部１１は通常のキー操作が行われたと判断し、そのキー操作に基づく処理を行い（Ｓ２１５）、処理を終了する。
【０１１５】
拡張表示の態様では、通常表示の態様に比べて、１度に表示されるリストの情報量（項目数）が増加する。一方、拡張表示の態様では、スクロール方向の長さ（目で追う長さ）が確保されているため、フリック操作によるスクロール速度を速くしても、視認性を失わずにスクロール表示することが可能である。したがって、第３の例のように、通常表示の態様でのスクロール速度を、拡張表示の態様でのスクロール速度よりも遅くすることにより、通常表示の態様でのスクロール中のリストの視認性を向上することができる。
【０１１６】
また、スクロール速度の設定を、通常表示の態様と拡張表示の態様とで、スクロール領域の一方の端部から他方の端部までのスクロール時間が同じになるような速度比に設定するようにしてもよい。たとえば拡張表示の態様に比べて通常表示の態様でのスクロール方向の長さが１／２倍になるのであれば、拡張表示での態様に比べて通常表示の態様でのスクロール速度を１／２倍にする。
【０１１７】
（ＭＦＰの動作の第４の例）
第４の例では、ＭＦＰ１は、ユーザーの操作（ユーザーから受け付けた表示態様の選択など）に基づいて、リストの特定の情報に関するサムネイルをリストとともに表示する態様（サムネイル表示の態様）と、サムネイルを表示しない態様（サムネイル非表示の態様）との間でリスト画面の表示態様を切り替え、リスト画面の表示状態がいずれの態様であるかに基づいてスクロール速度を決定する。
【０１１８】
図１６は、第４の例において、サムネイル表示の態様でリスト画面を表示する場合のリモートパネルの表示画面を模式的に示す図である。図１７は、第４の例において、サムネイル非表示の態様でリスト画面を表示する場合のリモートパネルの表示画面を模式的に示す図である。
【０１１９】
図１６および図１７を参照して、リモートパネルはタッチパネル式の略矩形状の表示部を有している。リモートパネルには、ジョブ履歴のリスト画面（図３においてキーＫ１が押下された場合の画面）全体が表示されており、このリスト画面は、ジョブ履歴であるリストＩＭ１と、リスト以外の各種情報ＩＭ２とを含む。リストＩＭ１は、複数ページにわたる、ＭＦＰ１で実行した多数のジョブの情報を含んでいるため、リスト画面におけるリストの表示領域にリスト全体を表示することができない。このため、リストＩＭ１の右側にはスクロールバーが表示されており、リストＩＭ１は、画面中縦方向（図１６および図１７中縦方向）にスクロール可能となっている。各種情報ＩＭ２はスクロール不可能である。なお、リスト画面には、表示態様を切り替えるためのソフトウェアキーがさらに表示されてもよい。
【０１２０】
サムネイル表示の態様では、図１６に示すように、リストＩＭ１はリスト画面の左側に表示されている。リストＩＭ１の横方向には、ＭＦＰ１で実行された１つのジョブに関する番号、ジョブの種別、文書名または宛先、ジョブの総枚数、およびジョブの実行結果の各項目が表示される。リストＩＭ１の縦方向には、各ジョブが並べられる。リストＩＭ１の右側には、リストＩＭ１に関するサムネイルＴＨが表示される。サムネイルＴＨは、たとえば、リストＩＭ１の最上段に表示されているジョブで用いられた文書（ここでは、「００１１」というジョブ番号のジョブの「サンプル」という文書名の文書）のサムネイルである。リストＩＭ１がスクロールしてリストＩＭ１の最上段に表示されるジョブが変わると、サムネイルＴＨの表示も変わる。サムネイルＴＨを表示することにより、ジョブ履歴から所望のジョブの情報が探しやすくなる。
【０１２１】
サムネイル非表示の態様では、図１７に示すように、リストＩＭ１はリスト画面の中央に表示されている。リストＩＭ１の横方向には、ＭＦＰ１で実行された１つのジョブに関する番号、ジョブの種別、文書名または宛先、登録時間、ジョブの総枚数、およびジョブの実行結果の各項目が表示される。リストＩＭ１の縦方向には、各ジョブが並べられる。
【０１２２】
サムネイル表示の態様は、サムネイルＴＨを表示する点でサムネイル非表示の態様とは異なっている。また、サムネイル非表示の態様では、サムネイルを表示するスペースが不要であるので、サムネイル非表示の態様の場合のリストＩＭ１の項目数は、サムネイル表示の態様の場合のリストＩＭ１の項目数よりも多くてもよい。なお、サムネイル表示の態様およびサムネイル非表示の態様の各々で、リストの文字のサイズは同じである。
【０１２３】
ＭＦＰ１は、リスト画面をリモートパネルに表示した状態で、リストＩＭ１が表示された領域（フリック対象となる領域）に対してユーザーからフリック操作を受け付けると、フリック操作に応じた速度でリストＩＭ１をスクロールさせる。第４の例では、ＭＦＰ１は、リスト画面がサムネイル表示の態様で表示されているか、あるいはサムネイル非表示の態様で表示されているかを判別する。そしてＭＦＰ１は、サムネイル表示の態様で表示されている場合には、スクロール速度を、サムネイル非表示の態様で表示されている場合のスクロール速度よりも遅くする。
【０１２４】
図１８は、ＭＦＰ１の動作の第４の例を示すフローチャートである。
【０１２５】
図１８を参照して、ＭＦＰ１の制御部１１は、リスト画面を表示した状態で、リモートパネルの画面が押下されたか否かを判別し（Ｓ３０１）、押下されたと判別した場合には（Ｓ３０１でＹＥＳ）、押下された位置がフリック対象となる領域であるか否かを判別する（Ｓ３０３）。
【０１２６】
ステップＳ３０３において、フリック対象となる領域であると判別した場合（Ｓ３０３でＹＥＳ）、制御部１１は、受け付けた押下が所定方向のフリック操作であるか否かを判別する（Ｓ３０５）。
【０１２７】
ステップＳ３０５において、所定方向のフリック操作であると判別した場合（Ｓ３０５でＹＥＳ）、制御部１１は、リモートパネルの表示態様がサムネイル表示かサムネイル非表示かを判別する（Ｓ３０７）。
【０１２８】
ステップＳ３０７において、サムネイル非表示であると判別した場合（Ｓ３０７で「非表示」）、制御部１１は、スクロール速度を速く設定して、受け付けた方向にリスト画面をスクロールさせ（Ｓ３０９）、処理を終了する。一方、ステップＳ３０７において、サムネイル表示であると判別した場合（Ｓ３０７で「表示」）、制御部１１は、スクロール速度を遅く設定してスクロールさせ（Ｓ３１１）、処理を終了する。
【０１２９】
ステップＳ３０３において、フリック対象となる領域でないと判別した場合（Ｓ３０３でＮＯ）、またはステップＳ３０５において、所定方向のフリック操作でないと判別した場合（Ｓ３０５でＮＯ）、制御部１１は通常のキー操作が行われたと判断し、そのキー操作に基づく処理を行い（Ｓ３１５）、処理を終了する。
【０１３０】
リスト画面にサムネイルを表示する場合に、ユーザーは、リストの情報とサムネイルとの両方の内容を確認するため、サムネイルを表示しない場合に比べて、リスト画面の情報を確認するのに時間を要する。したがって、第４の例のように、サムネイル表示の態様でのスクロール速度を、サムネイル非表示の態様でのスクロール速度よりも遅くすることにより、サムネイル表示の態様でのスクロール中のリストの視認性を向上することができる。
【０１３１】
（ＭＦＰの動作の第５の例）
第５の例では、ＭＦＰ１は、ログインしたユーザー（認証ユーザー）の権限に基づいて、リストの全情報を表示した態様（表示制限しない態様）とリストの一部の情報を非表示にした態様（表示制限した態様）との間でリスト画面の表示態様を切り替え、リスト画面の表示態様が表示制限しない態様か表示制限した態様かに基づいてスクロール速度を決定する。
【０１３２】
図１９は、固定記憶装置１２に記録されるユーザー情報テーブルを模式的に示す図である。
【０１３３】
図１９を参照して、ユーザー情報テーブルには、ＭＦＰ１００を利用可能なユーザーの情報が記録されている。ユーザー情報テーブルの横方向（行方向）には、一人のユーザーの各種情報が並べられている。具体的には、一人のユーザーに関する「ＩＤ」、「パスワード」、「身分」、および「ジョブ履歴の表示権限」などの各項目が並べられている。
【０１３４】
「身分」の項目には、そのユーザーがＭＦＰ１の管理者であるか、ＭＦＰ１の一般ユーザー（ｐｕｂｌｉｃ  ユーザー）であるかが記載されている。なお、これら以外の身分（たとえばグループリーダーなど）が設けられてもよい。
【０１３５】
「ジョブ履歴の表示権限」の項目には、そのユーザーがリモートパネルにジョブ履歴を表示した場合に、ジョブ履歴に含まれる情報のうち表示可能な情報（表示権限を有する情報）が記載されている。
【０１３６】
図１９のユーザー情報テーブルによれば、管理人は全てのジョブの表示権限を有しており、管理人がリモートパネルにジョブ履歴を表示する場合には、表示制限しない態様でジョブ履歴が表示される。また、一般ユーザーは自分のジョブのみの表示権限を有しており、一般ユーザーがリモートパネルにジョブ履歴を表示する場合には、表示制限した態様でジョブ履歴が表示される。具体的には、たとえば「３」というＩＤを持つユーザーは、「ｚｗＯｊ３４」というパスワードを有し、一般ユーザーであることが分かる。またこのユーザーに対しては、他人のジョブが非表示の状態でジョブ履歴が表示されることが分かる。
【０１３７】
たとえば、携帯情報端末１００でリモートパネルアプリケーションが起動されると、ＭＦＰ１は、リモートパネルアプリケーションが起動された旨の通知を携帯情報端末１００から受け付け、携帯情報端末１００から受け付けたＩＤおよびパスワードに基づいて、ユーザーの認証処理を行う。ＭＦＰ１は、ユーザーの認証に成功した場合、そのユーザーのログイン処理を行ない、ユーザー情報テーブルを参照し、そのユーザーの身分を特定する。また、操作パネル１５からのユーザーログイン時には、ＭＦＰ１は、操作パネル１５から受け付けたＩＤおよびパスワードに基づいて、ユーザーの認証処理を行う。ＭＦＰ１は、ユーザーの認証に成功した場合、そのユーザーのログイン処理を行ない、ユーザー情報テーブルを参照し、そのユーザーの身分を特定する。ＭＦＰ１は、リモートパネルにジョブ履歴を表示する場合に、ユーザー情報テーブルに記録されたそのユーザーの身分に基づいて、表示制限しない態様と表示制限した態様とのいずれの表示態様でリストを表示するかを決定する。
【０１３８】
なお、ユーザー情報テーブルには、ＩＤの代わりに、各ユーザーが使用するユーザーインターフェースの製品番号やＩＰアドレスなどが記録されていてもよい。さらに、ユーザー情報テーブルには、上記の第１〜第４の例におけるそのユーザーのリスト画面の表示態様が記録されていてもよい。この場合、制御部１１は、ユーザー情報テーブルに記録された表示態様でリモートパネルにリスト画面を表示してもよい。
【０１３９】
図２０は、第５の例において、表示制限しない態様でリスト画面を表示する場合のリモートパネルの表示画面を模式的に示す図である。図２１は、第５の例において、表示制限した態様でリスト画面を表示する場合のリモートパネルの表示画面を模式的に示す図である。
【０１４０】
図２０および図２１を参照して、リモートパネルはタッチパネル式の略矩形状の表示部を有している。リモートパネルには、ジョブ履歴のリスト画面（図３においてキーＫ１が押下された場合の画面）全体が表示されており、このリスト画面は、ジョブ履歴であるリストＩＭ１と、リスト以外の各種情報ＩＭ２とを含む。リストＩＭ１は、複数ページにわたる、ＭＦＰ１で実行した多数のジョブの情報を含んでいるため、リスト画面におけるリストの表示領域にリスト全体を表示することができない。このため、リストＩＭ１の右側にはスクロールバーが表示されており、リストＩＭ１は、画面中縦方向（図２０および図２１中縦方向）にスクロール可能となっている。各種情報ＩＭ２はスクロール不可能である。
【０１４１】
表示制限しない態様では、図２０に示すように、ＭＦＰ１で実行された１つのジョブに関する番号、ジョブの種別、文書名または宛先、ジョブの登録時間、ジョブの総枚数、およびジョブの実行結果の各項目の全ての情報が表示される。
【０１４２】
表示制限した態様では、図２１に示すように、ＭＦＰ１で実行された１つのジョブに関する番号、ジョブの種別、文書名または宛先、ジョブの登録時間、ジョブの総枚数、およびジョブの実行結果の各項目のうち、文書名または宛先の項目の一部の情報が非表示になっている。非表示になっている情報は、ジョブ履歴を表示しているユーザー以外のジョブに関する情報である。
【０１４３】
なお、表示制限しない態様および表示制限した態様の各々で、リストの文字のサイズは同じである。また表示しているリストの配置位置も同じである。また、リストにおいて非表示にする情報の種類は任意であり、リストの種類や情報の種類に応じて決められればよい。非表示する際には空白文字としてもよくダミーの文字やマークとしてもよい。
【０１４４】
ＭＦＰ１は、リスト画面をリモートパネルに表示した状態で、リストＩＭ１が表示された領域（フリック対象となる領域）に対してユーザーからフリック操作を受け付けると、フリック操作に応じた速度でリストＩＭ１をスクロールさせる。第５の例では、ＭＦＰ１は、リスト画面が表示制限しない態様で表示されているか、あるいは表示制限した態様で表示されているかを判別する。そしてＭＦＰ１は、リスト画面が表示制限しない態様で表示されている場合には、スクロール速度を、表示制限した態様で表示されている場合のスクロール速度よりも遅くする。
【０１４５】
図２２は、第５の例において、ログインを受け付けた場合のＭＦＰ１の動作を示すフローチャートである。
【０１４６】
図２２を参照して、ＭＦＰ１の制御部１１は、ユーザーがログインした場合、そのユーザーのログイン処理を行ない（Ｓ１１０１）、ユーザー情報テーブルを参照し、そのユーザーの身分および表示権限を特定する（Ｓ１１０３）。次に制御部１１は、ジョブ履歴を表示する指示をリモートパネルから受け付けると（Ｓ１１０５）、そのユーザーの表示権限に基づく表示態様で、リスト画面を表示し（Ｓ１１０７）、処理を終了する。
【０１４７】
続いて、ＭＦＰ１の動作の第５の例を示すフローチャートについて説明する。
【０１４８】
図２３は、第５の例において、リスト画面を表示した場合のＭＦＰ１の動作を示すフローチャートである。
【０１４９】
図２３を参照して、制御部１１は、リスト画面を表示した状態で、リモートパネルの画面が押下されたか否かを判別し（Ｓ４０１）、押下されたと判別した場合には（Ｓ４０１でＹＥＳ）、押下された位置がフリック対象となる領域であるか否かを判別する（Ｓ４０３）。
【０１５０】
ステップＳ４０３において、フリック対象となる領域であると判別した場合（Ｓ４０３でＹＥＳ）、制御部１１は、受け付けた押下が所定方向のフリック操作であるか否かを判別する（Ｓ４０５）。
【０１５１】
ステップＳ４０５において、所定方向のフリック操作であると判別した場合（Ｓ４０５でＹＥＳ）、制御部１１は、リモートパネルのユーザーの身分が管理者か一般ユーザーかを判別する（Ｓ４０７）。
【０１５２】
ステップＳ４０７において、一般ユーザーであると判別した場合（Ｓ４０７で「一般」）、制御部１１は、スクロール速度を速く設定して、受け付けた方向にリスト画面をスクロールさせ（Ｓ４０９）、処理を終了する。一方、ステップＳ４０９において、管理者であると判別した場合（Ｓ４０９で「管理者」）、制御部１１は、スクロール速度を遅く設定してスクロールさせ（Ｓ４１１）、処理を終了する。
【０１５３】
ステップＳ４０３において、フリック対象となる領域でないと判別した場合（Ｓ４０３でＮＯ）、またはステップＳ４０５において、所定方向のフリック操作でないと判別した場合（Ｓ４０５でＮＯ）、制御部１１は通常のキー操作が行われたと判断し、そのキー操作に基づく処理を行い（Ｓ４１５）、処理を終了する。
【０１５４】
セキュリティなどを目的として、ＭＦＰ１にログインしたユーザーの身分に応じて、ジョブ履歴の各項目を表示と非表示との間で切り換え可能とする場合がある。この場合、ログインしているユーザーが管理者であると、ジョブ履歴の全部の内容が表示されるため、確認する内容が多くなり、高速でスクロールすると確認が難しくなる。一方、ログインしているユーザーが一般ユーザーであると、ジョブ履歴の一部の内容が非表示とされるため、確認する内容が少なくなり、高速でスクロールしても確認が可能になる。したがって、表示制限しない態様ではスクロール速度を遅くし、表示制限した態様ではスクロール速度を速くすることにより、スクロール中のリストの視認性を向上することができる。
【０１５５】
なお、ＭＦＰ１は、ログインしたユーザー（認証ユーザー）の権限に基づく代わりに、表示態様の選択をユーザーから受け付け、その選択に基づいてリスト画面の表示態様を切り替えてもよい。
【０１５６】
［実施の形態の効果］
上述の実施の形態によれば、ＭＦＰ１は、２つの異なる態様のうち、スクロールした場合にリストを視認しにくくなる方の態様でリスト画面を表示した状態で、リストをスクロールする場合に、リストのスクロール速度をより遅くすることにより、スクロール中の視認性およびリモートパネルの操作性を向上することができる。
【０１５７】
［その他］
画像形成装置は、上記の第１〜第５の例のうち少なくともいずれか１つの例に従う動作を行うものであればよい。また、上記の第１〜第５の例を互いに組み合わせることも可能である。
【０１５８】
上述の実施の形態では、ＭＦＰ１の制御部１１によって携帯情報端末１００の画面の表示態様が制御される場合について示したが、携帯情報端末１００は、携帯情報端末１００自身のＣＰＵの制御によって携帯情報端末１００のリスト画面の表示態様を制御してもよい。表示装置は、画像形成装置の各種の設定を行うものである必要は無く、画像形成装置とは独立した表示を行うものであってもよい。
【０１５９】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１６０】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６１】
１  ＭＦＰ
４  ネットワーク
４ａ  ネットワークケーブル
１１，１１１  制御部
１２  固定記憶装置
１３  無線Ｉ／Ｆ
１４  画像読取装置
１５  操作パネル
１６  画像出力装置
１７  プリンタコントローラー
１８，１１２  ネットワークＩ／Ｆ
１９  近接判定装置
２１  ＣＰＵ
２２  ＲＯＭ
２３  ＲＡＭ
２４  ＮＶ−ＲＡＭ
２５  時計ＩＣ
３１  テンキー
３２  スタートキー
３３，１１４  表示部
３４  タッチパネル
３５，１１６  向き判定部
１００  携帯情報端末
１１３  メモリ部
１１５  タッチパネル入力部
Ｆ  操作棒
ＩＭ１  リスト
ＩＭ２  各種情報
Ｋ１，Ｋ２  キー
Ｌ１，Ｌ２  表示部の長辺
Ｌ３，Ｌ４  表示部の短辺
ＬＧ  フリック距離
Ｍ１  リスト画面の長辺
Ｐ１  フリック操作の始点
Ｐ２  フリック操作の終点
ＴＨ  サムネイル
【図１】
2014048735.tif 000003
【図２】
2014048735.tif 000004
【図３】
2014048735.tif 000005
【図４】
2014048735.tif 000006
【図５】
2014048735.tif 000007
【図６】
2014048735.tif 000008
【図７】
2014048735.tif 000009
【図８】
2014048735.tif 000010
【図９】
2014048735.tif 000011
【図１０】
2014048735.tif 000012
【図１１】
2014048735.tif 000013
【図１２】
2014048735.tif 000014
【図１３】
2014048735.tif 000015
【図１４】
2014048735.tif 000016
【図１５】
2014048735.tif 000017
【図１６】
2014048735.tif 000018
【図１７】
2014048735.tif 000019
【図１８】
2014048735.tif 000020
【図１９】
2014048735.tif 000021
【図２０】
2014048735.tif 000022
【図２１】
2014048735.tif 000023
【図２２】
2014048735.tif 000024
【図２３】
2014048735.tif 000025